(57)【特許請求の範囲】
【請求項１】
磁性材料により後壁部とこの後壁部の周囲部より前方側に向けて突設された周壁部とこの周壁部の前端縁部より前方側に向けて突設された略々円筒状のフレーム部とを有して前方側が開放されて形成されたフレームと、
磁性材料により略々平板状に形成され、前面部の中央部に前方側に向けて一体的に突設されたセンターポールを有し、上記フレームの後壁部に取付けられたヨークと、上記センターポールに対して同軸状に位置し、上記フレームの後壁部及び周壁部により覆われて配設されたリング状の駆動マグネットと、磁性材料により円環状に形成され、上記マグネットの前面部に接合されて上記センターポールに対して同軸状に配設され、該センターポールとの間で磁気ギャップ部を形成するトッププレートと、上記フレームのフレーム部の前端側に周縁側を支持された振動板と、上記振動板の中央部に取付けられ、上記磁気ギャップ内に位置されたボイスコイルとを備え、
フレームの後壁部には、中央部に透孔が設けられ、ヨークは、前面部をフレームの後壁部に取付けられ、この後壁部に設けられた透孔にセンターポールを挿通させて該センターポールを該後壁部より前方側に突出させており、駆動マグネットは、上記フレームの後壁部の前面部に取付けられ、
フレームの後壁部には、駆動マグネットを位置決めするための段差部が設けられ、センターポールは、上記フレームの後壁部に設けられた透孔の周縁部により位置決めされているスピーカ装置。
【発明の詳細な説明】
【０００１】
【発明の属する技術分野】
本発明は、電気信号を音響に変換するスピーカ装置に関する技術分野に属する。
【０００２】
【従来の技術】
従来、磁気回路を備え、移動可能に支持された振動板に取付けたボイスコイルを該磁気回路の磁気ギャップ部中に位置させて構成したスピーカ装置が提案されている。このスピーカ装置においては、上記ボイスコイルに供給される電気信号が、上記振動板の振動により発生される音響に変換される。
【０００３】
このようなスピーカ装置は、導電型スピーカといわれる。この導電型のスピーカ装置においては、上記ボイスコイルは、電気信号を供給されることにより、上記磁気ギャップ部内の磁束中を、上記振動板を伴って移動し、この振動板を振動させる。
【０００４】
そして、このスピーカ装置の磁気回路においては、いわゆる外磁型であって磁気シールド型のものが提案されている。このようなスピーカ装置は、図５に示すように、磁性材料により略々円盤状に形成され前面部に円環状の駆動マグネット１０３が取付けられるヨーク１０２を有している。このヨーク１０２の前面部の中央部には、上記駆動マグネット１０３に対して同軸に、円柱状のセンターポール１０１が突設されている。上記駆動マグネット１０３の前面部には、磁性材料により中央部に透孔を有する円盤状に形成されたトッププレート１０４が取付けられている。このトッププレート１０４の透孔と上記センターポール１０１の先端側部分とは、互いに対向して、磁気ギャップ部１１４を形成している。
【０００５】
上記ヨーク１０２の後面部には、円環状のキャンセルマグネット１１６が取付けられている。このキャンセルマグネット１１６は、上記駆動マグネット１０３に対して逆の磁気極性を有している。
上記キャンセルマグネット１１６の後面部には、シールドカバー１１７が取付けられている。このシールドカバー１１７は、磁性材料により、後壁部とこの後壁部の周囲部より前方側に向けて突設された周壁部とを有して前方側が開放されて形成されている。このシールドカバー１１７は、上記後壁部の前面部を上記キャンセルマグネット１１６の後面部に取付けられて、上記周壁部の前端部を上記トッププレート１０４の周縁部に近接させることにより、上記駆動マグネット１０３、上記ヨーク１０２及び上記キャンセルマグネット１１６を覆っている。
【０００６】
なお、上記シールドカバー１１７の後壁部の中央部分には、上記キャンセルマグネット１１６の中央の透孔に嵌合してこのシールドカバー１１７の該キャンセルマグネット１１６に対する位置決めを行うべく前方側に膨出形成された膨出部１１８が設けられている。
【０００７】
この磁気回路においては、上記キャンセルマグネット１１６により、上記駆動マグネット１０３よりの漏洩磁束が減少され、上記磁気ギャップ部１１４における磁束密度が増大される。また、この磁気回路においては、上記シールドカバー１１７が設けられていることにより、スピーカボックスを小型化したスピーカ装置にも適用することができる。
【０００８】
そして、上記トッププレート１０４の前面部に振動板１０５を支持するフレーム１０８が取付けられることにより、スピーカ装置が構成される。上記振動板１０５の後面部には、ボビン１０６を介して、上記ボイスコイル１０７が取付けられている。このボイスコイル１０７は、上記磁気ギャップ部１１４内に位置される。
【０００９】
なお、上記振動板１０５は、中央部の透孔をキャップ部１１２により閉蓋されている。また、上記振動板１０５は、周縁側部分を、周縁側のエッジ部１１３を介して、上記フレーム１０８の前端部分にガスケットにより取付けられている。そして、上記ボビン１０６は、上記フレーム１０８に対して、ダンパ１０９を介して支持されている。上記ボイスコイル１０７からの引き出し線１１０は、上記フレーム１０８に設けられた端子部１１１に接続されている。
【００１０】
【発明が解決しようとする課題】
ところで、上述のような磁気回路を有して構成されたスピーカ装置においては、部品点数が多く、小型化、軽量化を図ることが困難であり、また、製造、組立工程が煩雑である。
【００１１】
すなわち、このスピーカ装置においては、上記フレーム、上記トッププレート、上記ヨーク及び上記シールドカバー等をそれぞれ別体に作製し、それぞれを接合させなければならない。
さらに、このスピーカ装置においては、上記キャンセルマグネットを有しているために、重量増加を抑えることが困難である。
【００１２】
そこで、本発明は、上述の実情に鑑みて提案されるものであって、外磁型、かつ、磁気シールド型のスピーカ装置であって、充分な磁気シールド性を維持しながら、小型化、軽量化が図られたスピーカ装置の提供という課題を解決しようとするものである。
【００１３】
【課題を解決するための手段】
上述の課題を解決するため、本発明に係るスピーカ装置は、磁性材料により後壁部とこの後壁部の周囲部より前方側に向けて突設された周壁部とこの周壁部の前端縁部より前方側に向けて突設された略々円筒状のフレーム部とを有して前方側が開放されて形成されたフレームと、
磁性材料により略々平板状に形成され、前面部の中央部に前方側に向けて一体的に突設されたセンターポールを有し、上記フレームの後壁部に取付けられたヨークと、上記センターポールに対して同軸状に位置し、上記フレームの後壁部及び周壁部により覆われて配設されたリング状の駆動マグネットと、磁性材料により円環状に形成され、上記マグネットの前面部に接合されて上記センターポールに対して同軸状に配設され、該センターポールとの間で磁気ギャップ部を形成するトッププレートと、上記フレームのフレーム部の前端側に周縁側を支持された振動板と、上記振動板の中央部に取付けられ、上記磁気ギャップ内に位置されたボイスコイルとを備え、
フレームの後壁部には、中央部に透孔が設けられ、ヨークは、前面部をフレームの後壁部に取付けられ、この後壁部に設けられた透孔にセンターポールを挿通させて該センターポールを該後壁部より前方側に突出させており、駆動マグネットは、上記フレームの後壁部の前面部に取付けられ、
フレームの後壁部には、駆動マグネットを位置決めするための段差部が設けられ、センターポールは、上記フレームの後壁部に設けられた透孔の周縁部により位置決めされるようにしたものである。
【００１６】
【発明の実施の形態】
以下、本発明の実施の形態を図面を参照しながら説明する。
本発明に係るスピーカ装置は、図１に示すように、磁性材料により形成されたフレーム８を有している。このフレーム８は、略々円盤状の後壁部と、この後壁部の周囲部より前方側に向けて突設された周壁部と、この周壁部の前端縁部より前方側に向けて突設された略々円錐状に前端側が拡径された円筒状のフレーム部とを有して前方側が開放されて形成されている。
【００１７】
上記後壁部の中央部には、円形の透孔１６が穿設されている。また、この後壁部の中央部分には、上記透孔１６と同心状に、前方側に膨出形成された膨出部１８が形成されている。
そして、このスピーカ装置は、磁性材料により形成された円盤状のヨーク２を有している。このヨーク２は、前面部を、上記フレーム８の後壁部に接合されている。そして、このヨーク２は、前面部中央に、一体的に突設された円柱状のセンターポール１を有している。このセンターポール１は、上記後壁部の透孔１６に挿通されて、この後壁部より前方側に突出されている。このセンターポール１は、上記透孔１６の周縁部に外周部を支持されることにより、上記フレーム８に対して同軸状となるように位置決めされている。
【００１８】
上記フレーム８の後壁部の前面部には、円環状の駆動マグネット３が、接着等により固定して配設されている。この駆動マグネット３は、中央の透孔部の周縁部を上記膨出部１８の外周縁部に倣わせることにより位置決めされ、上記センターポール１に対して同軸状となされている。すなわち、この駆動マグネット３の中央の透孔部内には、上記センターポール１が進入されている。
【００１９】
上記駆動マグネット３の前面部には、磁性材料により中央部に透孔を有する円盤状（円環状）に形成されたトッププレート４が、接着等により、取付けられている。このトッププレート４は、上記センターポールに対して同軸状に配設されている。
【００２０】
上記トッププレート４の中央部の透孔には、上記センターポール１の先端側部分が進入されている。このトッププレート４の中央部の透孔の内周面部と、上記センターポール１の先端側部分の外周面部とは、互いに対向し、磁気ギャップ部１５を形成している。
【００２１】
上記フレーム８の後壁部と周壁部とは、上記駆動マグネット３、上記センターポール１及び上記トッププレート４を覆っている。すなわち、これら後壁部と周壁部とは、上記駆動マグネット３よりの漏洩磁束を減少させるシールドカバーとなっている。
【００２２】
上記フレーム部の前端側の保持部には、振動板５の周囲部分が、エッジ部１３を介してガスケット１４により取付けられている。このエッジ部１３は、可撓性を有して形成され、前後方向に変位可能となっている。
上記振動板５は、略々円錐形状のコーン部と、このコーン部の中央部の透孔を閉蓋する状態に該コーン部に取付けられたドーム形状のキャップ部１２とから構成されている。上記エッジ部１３には、上記コーン部の周囲部分が連設されている。
【００２３】
上記振動板５の中央部分には、後方側に向けて、ボビン６が取付けられている。このボビン６は、円筒状に形成され、前端部を上記振動板５に対して取付けられている。このボビン６は、高い剛性を有しながら、軽量に形成することが望ましい。したがって、このボビン６は、ベークライト板、エポキシ樹脂を含浸した紙や布、ガラス−エポキシ板（エポキシ樹脂で固めたガラス繊維材料）等の如き合成樹脂材料、金属箔、紙を円筒状に丸めて形成することが望ましい。
【００２４】
上記ボビン６の後端側の外周面部には、ボイスコイル７が接着されている。このボイスコイル７は、引き出し線（錦糸線）１０を有して、巻回されて円筒状に形成されている。上記引き出し線１０は、上記フレーム８のフレーム部に設けられた接点部１１に半田付けされて接続される。
【００２５】
上記ボイスコイル７は、上記磁気ギャップ部１５内に位置されている。すなわち、上記ボイスコイル７は、上記センターポール１に対して同軸状となされて、このセンターポール１と上記トッププレート４の中央部の透孔の内面部との間に進入されている。
【００２６】
そして、上記ボビン６の前端側部分は、可撓性及び振動吸収性を有するダンパ９を介して、上記トッププレート４に対して接続され支持されている。
このスピーカ装置においては、上記接点部１１及び上記引き出し線１０を介して上記ボイスコイル７に電気信号が供給されることにより、このボイスコイル７は、上記磁気ギャップ部１５内の磁束中を上記振動板５を伴って移動し、この振動板５を振動させ、音響を発生させる。
【００２７】
そして、上述のように構成されたスピーカ装置においては、上記駆動マグネット３、上記センターポール１及び上記トッププレート４を覆うシールドカバーが、上記フレーム部と一体的に形成されて上記フレーム８を構成しているため、充分な磁気シールド性を保持しながら、部品点数の削減、小型化、軽量化、製造、組立の容易化を図ることができる。
【００２８】
そして、本発明に係るスピーカ装置は、図２に示すように、上記ヨーク２を上記フレーム８の後壁部の前面部に接合して構成することとしてもよい。この場合には、上記ヨーク２は、後面部を、上記フレーム８の後壁部の前面部に接合される。また、この場合には、上記フレーム８の後壁部は、上記透孔１６及び上記膨出部１８を設けずに、平板状に形成されたものとする。上記ヨーク２の上記フレーム８に対する位置決めは、製造工程上でのみ使用される冶具等により行われる。
【００２９】
そして、上記駆動マグネット３は、上記ヨーク２の前面部に、上記センターポール１に対して同軸状となされて接合される。この駆動マグネット３の上記ヨーク２に対する位置決めも、製造工程上でのみ使用される冶具等により行うことができる。
【００３０】
さらに、本発明に係るスピーカ装置は、図３及び図４に示すように、上述した各スピーカ装置と同様の構成を有し、さらに、上記フレーム８の後方側に、シールドカバー１９を取付けて構成することとしてもよい。
上記シールドカバー１９は、磁性材料により、略々円盤状の後板部と、この後板部の周縁部より前方側に突設された周壁部とを有して、一体的に形成されている。このシールドカバー１９は、上記後板部の前面部を上記フレーム８の後壁部の後面部に接合させて、配設される。
【００３１】
この場合において、図３及び図４に示すように、上記フレーム８の周壁部と上記シールドカバー１９の周壁部を離間させ、かつ、該シールドカバー１９の周壁部の前端縁部を上記フレーム８のフレーム部の後端側部分に近接させることにより、磁気シールド性を一層向上させることができる。
【００３２】
【発明の効果】
上述のように、本発明に係るスピーカ装置においては、駆動マグネット、センターポール及びトッププレート４を覆うシールドカバーが、フレーム部と一体的に形成されて、振動板を支持するフレームを構成している。
【００３３】
すなわち、本発明は、外磁型、かつ、磁気シールド型のスピーカ装置であって、十分な磁気シールド性を維持しながら、部品点数の削減、小型化、軽量化、製造、組立の容易化を図ることができるスピーカ装置を提供することができるものである。
【図面の簡単な説明】
【図１】本発明に係るスピーカ装置の構成を示す縦断面図である。
【図２】本発明に係るスピーカ装置の構成の他の例を示す縦断面図である。
【図３】本発明に係るスピーカ装置であって別体のシールドカバーを備えたものの構成を示す縦断面図である。
【図４】本発明に係るスピーカ装置であって別体のシールドカバーを備えたものの構成の他の例を示す縦断面図である。
【図５】シールドカバーを備えた従来のスピーカ装置の構成を示す縦断面図である。
【符号の説明】
１  センターポール
２  ヨーク
３  駆動マグネット
７  ボイスコイル
８  フレーム
１５  磁気ギャップ部
１７，１９  シールドカバー
【図１】
0003598603.tif 000002
【図２】
0003598603.tif 000003
【図３】
0003598603.tif 000004
【図４】
0003598603.tif 000005
【図５】
0003598603.tif 000006